(57)【要約】【課題】支柱の端部に面取り等の作業を行う必要がなく、切断縁に触れることなく所要の作業を行うことができる支柱の端部保護装置を提供すること。【解決手段】押出成形によって得られた支柱素材を所定長さで切断して形成された支柱１１と、この支柱１１の上端部に高さ調整手段１２及び連結部材１３を介して横架材１４が掛け渡されている。支柱１１は、上下方向に延びるオプション装着溝３１、配線空間Ｓを備えている。高さ調整手段１２は、支柱１１の上端部に載るように配置されたベース部材３３を備え、当該ベース部材は、オプション装着溝３１及び配線空間Ｓを閉塞することなく支柱１１の外縁側をカバーする形状に設けられている。【選択図】          図７
2004353355.tif 000002
【特許請求の範囲】
【請求項１】
支柱の上端部に高さ位置調整手段を介して横架材が連結される構造体の支柱端部保護装置において、
前記高さ位置調整手段は、支柱の上端部に配置されるベース部材を含み、このベース部材は、前記支柱の少なくとも一部の外縁を保護する平面形状に設けられていることを特徴とする支柱の端部保護装置。
【請求項２】
押出成形されて長手方向に延びる成形体を所定長さに切断して支柱とし、当該支柱の上端部に高さ調整手段を介して横架材が連結される構造体の支柱端部保護装置において、
前記高さ調整手段は、支柱の上端部に配置されるベース部材を含み、このベース部材は、前記支柱の少なくとも一部の外縁を保護する平面形状に設けられていることを特徴とする支柱の端部保護装置。
【請求項３】
前記支柱は上下方向に沿って延びるオプション装着溝をコーナーに備えた略角柱状をなし、前記ベース部材は、前記オプション装着溝の上端から挿入される片状部材の挿入、抜き出しを許容する作業用穴を備えていることを特徴とする請求項１記載の支柱の端部保護装置。
【請求項４】
前記支柱は上下方向に延びる配線空間を備え、前記ベース部材は、前記配線空間の上端を開放する配線口を備えていることを特徴とする請求項１又は２記載の支柱の端部保護装置。
【請求項５】
前記支柱の下端部に下部ベースが装着され、当該下部ベースは、前記支柱内に通じる通路を有するとともに、支柱の下端外縁を保護する平面形状に設けられていることを特徴とする請求項１，２，３又は４記載の支柱の端部保護装置。
【発明の詳細な説明】
【０００１】
【発明の属する技術分野】
本発明は支柱の端部保護装置に係り、更に詳しくは、支柱の端部位置で各種の作業を行う際に、当該支柱の端部に手指を引っ掛けて怪我するおそれを改善するための支柱の端部保護装置に関する。
【０００２】
【従来の技術】
床面に複数の支柱を配置するとともに、これら支柱の上端部間を横架材により連結して作業空間を形成することのできる、いわゆる作業空間モジュールと称する構造体が特許文献１に開示されている。
【０００３】
【特許文献１】特開２００２−２９５４２３号公報
【０００４】
前記特許文献１に示された構造体は、支柱と、この支柱の上端部に設けられた高さ調整手段と、当該高さ調整手段の上部に配置される連結部材を介して支柱の上端部間に架設された横架材とからなる。ここで、支柱は、略角柱状の外形をなし、そのコーナー領域に、当該支柱の上下両端に達するオプション装着溝を備えているとともに、支柱回りに沿って複数に区分された配線空間を上下方向に備えた構成となっている。この構造体は、組み立て後において、棚板や、照明器具等の各種オプションを支柱の任意の高さに装着可能となっており、当該オプションの装着に際しては、支柱の上端より片状部材を挿入し、当該片状部材に形成された取付部に照明器具等を支持させる構成となっている。また、電源若しくは通信等のケーブルを支柱に沿って配線する際に、当該支柱の上端若しくは下端から配線作業を行うことも可能とされている。
【０００５】
【発明が解決しようとする課題】
しかしながら、前記構造体にあっては、オプション装着溝への片状部材の挿入や、ケーブルの配線作業が支柱の端部を利用して行われるものであるため、当該作業に際して支柱の端部に手を引っかけてしまう場合が多く、慎重な作業が不可避的に要求される、という不都合がある。また、前記構造体の支柱は、押出成形によって予め長寸サイズの成形体を支柱素材として用意しておき、これを所定の長さ毎に切断して支柱として用いることが一般的となる。この場合、支柱端部の切断縁がそのまま表出することとなる。このような切断縁は、支柱の端部に面取り加工やその他の端縁処理を施す場合があるが、オプション装着溝や配線空間を形成する支柱は、横断面形状において比較的複雑な骨格を有するため、面取り作業等は非常に面倒な作業となり、生産性を著しく低下させてしまう不都合を招来する。
【０００６】
【発明の目的】
本発明は、このような不都合に着目して案出されたものであり、その目的は、支柱の端部に面取り等の作業を行う必要がなく、切断したままの状態であっても、その切断縁に触れることなく所要の作業を行うことができる支柱の端部保護装置を提供することにある。
【０００７】
【課題を解決するための手段】
前記目的を達成するため、本発明は支柱の上端部に高さ調整手段を介して横架材が連結される構造体の支柱端部保護装置において、
前記高さ調整手段は、支柱の上端部に載る大きさを備えたベース部材を含み、このベース部材は、前記支柱の少なくとも一部の外縁を保護する平面形状に設けられる、という構成を採っている。
ここで、支柱は、押出成形されて長手方向に延びる成形体を所定長さに切断したものを採用することができる。このような構成にすると、高さ位置調整手段のベース部材を支柱の上端部に載せたときに、その外縁側が支柱の上端外縁側をカバーするようになる。従って、支柱の端部で作業を行うときに、支柱の切断縁に手指が直接触れるようなことはなく、これによって手指を傷つけるおそれを防止することができる。
【０００８】
本発明において、前記支柱は上下方向に沿って延びるオプション装着溝をコーナーに備えた略角柱状をなし、前記ベース部材は、前記オプション装着溝の上端から挿入される片状部材の挿入、抜き出しを許容する作業用穴を備えたものが採用されている。このような構成では、ベース部材が支柱に取り付けられている状態を分解することなく、オプション装着溝に対して所要の作業を行うことができ、且つ、当該作業に際して手指への傷つきを防止することができる。
【０００９】
また、前記支柱は上下方向に延びる配線空間を備え、前記ベース部材は、前記配線空間の上端を開放する配線口を備える、という構成も採用するとよい。これにより、天井側からケーブル等を引き出したときでも、支柱の上端から支柱内にケーブルを導入して配線することが可能となる。ここで、配線口は、ベース部材の外縁側を内側に凹ませた切欠部や、ベース部材の面内に穴を設けることによって形成することができる。
【００１０】
更に、前記支柱の下端部に下部ベースが装着され、当該下部ベースは、前記支柱内に通じる通路を有するとともに、支柱の下端外縁を保護する平面形状に設けられる、という構成も併せて採用することができる。このような構成とすれば、支柱の下端部においても、切断縁に手指が直接触れるようなことはなく、手指への傷つきを防止することができ、床面からケーブルを支柱内に導入するような作業時の安全性も担保されることとなる。
【００１１】
【実施例】
以下、本発明の実施例を図面を参照しながら説明する。
【００１２】
図１には、本発明に係る支柱の端部保護装置が適用された、いわゆる作業空間モジュールをなす構造体の概略斜視図が示され、図２ないし図９には、その一部詳細図が示されている。これらの図において、構造体１０は、床面から起立する複数の支柱１１と、これら支柱１１の上端部に配置された高さ調整手段１２と、当該高さ調整手段１２の上部に配置された連結部材１３を介して支柱１１の上端部間に掛け渡された横架材１４とを備えて構成されている。支柱１１には、その任意の高さにオプションとしての棚板１５が着脱自在に取り付けられている。なお、棚板以外のオプションとしては、図示しない照明器具や、作業用天板等が例示できる。
【００１３】
前記支柱１１は、図２ないし図４に示されるように、アルミニウム等の素材からなる押出成形品を所定長さで切断して構成された支柱本体２０と、この支柱本体２０に取り付けられた四枚のカバー２１とからなる。支柱本体２０は上下両端が開口した角穴２２Ａを有する角柱状の中心体２２と、この中心体２２の四隅から斜め外方に向かって突出する隔壁２４と、この隔壁２４に連なるとともに、中心体２２から見て外方に向かって二股状に分岐した一対の溝形成部２５，２５と、隔壁２４の途中から当該隔壁２４の面と略直交する方向に向けられた突片２７，２７とからなる。カバー２１は、前記中心体２２の各面と略相対する位置で、短寸幅方向両端部の内面側に設けられた外側爪片２１Ａと内側爪片２１Ｂが、溝形成部２５の先端部と突片２７の先端部にそれぞれ嵌合して装着されるようになっている。ここで、前記カバー２１、隔壁２４，溝形成部２５及び突片２７は、前記中心体２２の上下方向長さと略同一の上下方向長さを備えた寸法とされている。
【００１４】
図６及び図７に示されるように、前記支柱１１において、一対の溝形成部２５，２５間は、棚板１５等のオプションを取り付ける片状部材３０を上端から挿入可能とするオプション装着溝３１を構成する一方、前記カバー２１，中心体２２及び隔壁２４で囲まれて上下方向に延びる領域が配線空間Ｓとして構成されている。片状部材３０は、略方形の板状をなし、その面内にねじ穴３０Ａが形成され、当該ねじ穴３０Ａを利用することによって前記棚板１５等のオプションが着脱可能となっている。
【００１５】
前記高さ調整手段１２は、図５ないし図７に示されるように、支柱１１の上端部に載るように配置されたベース部材３３と、このベース部材３３の上面側に起立配置されるパイプ３４と、このパイプ３４の上方から挿入される調整ボルト３５とを含む。ベース部材３３は一枚の略方形板材を成形素材として形成されている。具体的には、前記中心体２２の角穴２２Ａ形状に略対応した角穴３６と、方形板材の各辺中央部を平面視で凹状に切り欠いて形成された配線口３７と、各コーナー近傍に設けられた略円形の作業用穴３８と、角穴３６と配線口３７との間に形成されて前記調整ボルト３５の先端部をねじ込み可能と雌ねじを備えたねじ穴３９とにより構成されている。なお、高さ調整手段１２による高さ調整機構に関しては、前記特許文献１に記載されており、また、本発明の要旨とするところでないので、ここでは、その説明を省略する。
【００１６】
前記ベース部材３３は、支柱１１の上端部に所定配置して上面から見たときに、前記カバー２１の幅方向中央部領域を露出する外縁形状若しくは平面サイズに設けられ、これにより、支柱本体２０の端縁に生じ得るバリ等が隠蔽できるようになっている。また、ベース部材３３において、配線口３７は、支柱１１に形成された配線空間Ｓの上端領域内に位置する一方、作業用穴３８は、オプション装着溝３１の上端を閉塞することのない大きさに設けられている。
【００１７】
前記高さ調整手段１２の上部に配置された連結部材１３は、上下各面が閉塞する略円筒状をなす中央部材４２と、この中央部材４２の下面側から下向きに突設された脚部材４３と、中央部材４２の外周面から略水平方向外側に突設された連結軸部４４とからなる。中央部材４２には、略同心円上の四箇所にボルト挿入穴４５が形成されており、これらのボルト挿入穴４５の上方から前記調整ボルト３５を挿入してベース部材３３のねじ穴３９にねじ込みできるようになっている。ここで、脚部材４３の外形は、前記中心体２２の角穴２２Ａ内に挿入される寸法に設定されており、これにより、中央部材４２のボルト挿入穴４５に調整ボルト３５を挿入してベース部材３３に調整ボルト３５をねじ込むことにより、ベース部材３３が支柱１１の上端部において水平面内で回転することがないように保たれる。
【００１８】
前記横架材１４は、長手方向の端部に開口部４７を備えた角パイプ状をなし、当該開口部４７に連結部材１３の連結軸部４４を差し込みできるように設けられている。そして、この差し込みを行った状態でボルト４８（図６参照）を介して連結軸部４４に固定可能となっている。
【００１９】
図８及び図９に示されるように、前記支柱１１の下部には下部ベース５０が装着されている。この下部ベース５０は、略方形の板状体５１と、この板状体５１の中央部から上向きに突設されるとともに、前記支柱本体２０の中心体２２内に挿入可能な中空の角柱体５２とからなる。板状体５１は、支柱１１の外縁よりも僅かに外側位置を外縁とする略方形の平面サイズに設けられており、前記支柱１１内に通じる穴５１Ａを中心部に備えているとともに、各辺の中央部内側には、固定ベース５５の上方に突出して回り止めされたボルト５６の挿入穴５７が形成されている。また、角柱体５２は、その側面に、前記中心体２２における下端側の面内に設けられた図示しない穴に一致するねじ穴５８が形成され、このねじ穴５８にボルト５９をねじ込むことによって支柱１１の下端部に固定できるようになっている。
【００２０】
前記固定ベース５５は、コンクリートスラブＳ１の上面に配線引き回し空間を形成するためのスペーサ６０を介して敷設された床板Ｆに固定される。この固定ベース５５は、前記下部ベース５０の平面形状よりも幾分大きな平面形状をなす略方形に設けられ、その中央部には、前記角柱体５２に連通するケーブル導入穴６１が形成され、このケーブル導入穴６１から床面Ｆ上に導出されるケーブルＣは、前記下部ベース５０の穴５１Ａ、角柱体５２を通って支柱１１の中心体２２内に延び、当該中心体２２の側面部分を通って配線空間Ｓ内に導入できるようになっている。また、固定ベース５５は、コーナー近傍に設けられた穴６２の上方から挿入される固定ボルト６３によって床板Ｆに固定される。なお、固定ベース５５と前記下部ベース５０との間に延びるボルト５６回りには、ナット部材６３が設けられ、このナット部材６３を回転操作することにより、不陸調整が可能とされている。
【００２１】
以上の構成において、図１に示されるように構造体１０が構築された後において、支柱１１に棚板１５等のオプションを装着する場合には、図７に示されるように、片状部材３０を支柱１１の上端側から挿入する。この挿入は、ベース部材３３の作業用穴３８を通じてオプション装着溝３１にスライド操作で差し込むようにして行うことができる。この作業に際して、作業者の手指は、支柱１１の上端部コーナー領域に必然的に触れることになるが、当該領域には、ベース部材３３のコーナー部外縁が位置する状態となるため、支柱素材の切断によって支柱本体２０の端部に切断縁がそのまま表れていても、当該切断縁は隠蔽され、手指を傷つけてしまうようなおそれはない。
【００２２】
また、配線口３７を通じて支柱１１の配線空間Ｓ内に天井等からケーブル等を導入する場合も、支柱本体２０の中空体２２や隔壁２４等の上端縁がベース部材３３によってカバーされているため、同様の保護を図ることができる。
【００２３】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００２４】
例えば、前記実施例では、配線口３７は、ベース部材３３の各辺中央部を凹状に切り欠くことによって構成された場合を図示、説明したが、凹状の切り欠きに代えて、スロット穴をベース部材３３の面内に形成することによっても構成することができる。この場合には、カバー２１の上端中央部領域もベース部材３３によって覆うことが可能となる。また、作業用穴３８の形状も略円形に限られるものではなく、オプション装着溝３１に対して片状部材３０の挿入、抜き出しができるものであれば足りる。従って、ベース部材３３のコーナーをバイアスするような方向に延びる長穴等であってもよい。
【００２５】
また、支柱１１の横断面形状も図示構成例に限定されるものではなく、例えば円柱状或いはその他の多角形状をなす支柱形状としてもよい。このような場合には、配線口３７や作業用穴３８は、支柱１１に形成される配線空間やオプション装着溝の形成位置との対応関係によって決定すれば足りる。要するに、本発明は、支柱１１の端部位置にて何らかの作業を必要とする場合の、支柱の端部による手指の損傷を防止することができる構成であれば、種々の設計変更を行うことができる。
【００２６】
更に、オプション装着溝３１に挿入される片状部材３０は、例えば、図１０に示されるような長尺状に形成し、その長手方向に沿う一定の間隔でねじ穴３０Ａを形成したものでもよい。この場合、片状部材３０がフレキシブルな素材で構成されていれば、支柱１１が天井に接近するような高さであっても、弓なり状態にして支柱１１の上端部より差し込むことが可能となる。
【００２７】
【発明の効果】
以上説明したように、本発明によれば、高さ位置調整手段のベース部材を支柱の上端部に載せたときに、その外縁側が支柱の上端外縁側をカバーする形状としたから、長い成形素材を切断して支柱としたときに、切断縁に面取り等の後加工を施す必要がなく、切断縁によって手指を損傷させてしまうようなおそれを回避することができる。
【００２８】
特に、前記ベース部材が、前記オプション装着溝の上端から挿入される片状部材の挿入、抜き出しを許容する作業用穴を備えたものである場合には、ベース部材が前述した手指への傷つきを防止する一方で、ベース部材が支柱に取り付けられたまま必要な作業を行うことができる。
【００２９】
また、ベース部材が、前記配線空間の上端を開放する配線口を備えた構成では、天井側からケーブル等を引き出したときでも、支柱の上端から支柱内にケーブルを導入して配線することが可能となる。
【００３０】
更に、支柱の下端外縁を保護する平面形状を備えた下部ベースを設けた構成では、支柱の下端部においても切断縁に直接触れることがなく、手指への傷つきを防止することができ、床面から支柱内にケーブルを配線する場合における作業上の制約も回避可能となる。
【図面の簡単な説明】
【図１】本発明が作業用空間モジュールと称される構造体に適用された全体構成を示す概略斜視図。
【図２】支柱の上端部領域を示す概略斜視図。
【図３】図２の分解斜視図。
【図４】支柱の平面図。
【図５】支柱の上端部にベース部材を配置した状態を示す平面図。
【図６】支柱の上端部に横架材を掛け渡した状態を示す概略斜視図。
【図７】図６の分解斜視図。
【図８】支柱の下部構造を示す部分断面図。
【図９】図８の分解斜視図。
【図１０】変形例を示す図２と同様の概略斜視図。
【符号の説明】
１０  構造体
１１  支柱
１２  高さ調整手段
１３  連結部材
１４  横架材
１５  棚板（オプション）
２０  支柱本体
２１  カバー
３１  オプション装着溝
３３  ベース部材
３７  配線口
３８  作業用穴
５０  下部ベース
５１Ａ  穴（通路）
Ｓ  配線空間
【図１】
2004353355.tif 000003
【図２】
2004353355.tif 000004
【図３】
2004353355.tif 000005
【図４】
2004353355.tif 000006
【図５】
2004353355.tif 000007
【図６】
2004353355.tif 000008
【図７】
2004353355.tif 000009
【図８】
2004353355.tif 000010
【図９】
2004353355.tif 000011
【図１０】
2004353355.tif 000012